(57)【特許請求の範囲】
【請求項１】
ｎＴ（ｎＴ≧２）本のアンテナを有する送信側と、ｎＲ（ｎＲ≧２）本のアンテナを有する受信側とでデータの送受信を行うＭＩＭＯシステムを用いたマルチアンテナ伝送における再送方法であって、
前記受信側において受信信号より各サブストリームの受信品質を検出するステップと、
前記サブストリーム毎の受信品質を前記受信側から前記送信側にフィードバックするステップと、
前記送信側が、フィードバックされた前記サブストリーム毎の受信品質を順位付けするとともに、再送の際に、前記ｎＴ本のアンテナから送信した前記サブストリームのうち、前記順位付けした前記受信品質の悪い方から数えてＬ（１≦Ｌ≦ｎＴ）番目の受信品質の前記サブストリームを再送する際のアンテナとして、前記順位付けした前記受信品質の悪い方から数えてｎＴ−Ｌ＋１番目の受信品質の前記サブストリームを送信したアンテナを選択するステップと、
前記選択したアンテナを用いて前記送信側が前記サブストリームを再送するステップと、
前記受信側の前記ｎＲ本のアンテナで受信した前記サブストリームを直列型干渉除去検出する場合において、再送の際に、受信した前記サブストリームの検出順番が前回の検出順番と異なるような検出順番を選択するステップと、
前記受信側が、受信した前記サブストリームを、選択した前記検出順番で検出するステップと、
前記検出した前記サブストリームに誤りがある場合には、前記受信側から前記送信側に対して再送を要求するステップと、
を具備するマルチアンテナ伝送における再送方法。
【請求項２】
現在のチャネルの特性行列及び所定の検出子により全体の受信信号から前記各サブストリームの検出を行うとともに、チャネルの前記特性行列と前記検出子とチャネル雑音の推定値に基づいて前記サブストリーム毎の等価信号と干渉雑音との比を計算することにより前記サブストリーム毎の受信品質を検出する請求項１記載のマルチアンテナ伝送における再送方法。
【請求項３】
前記送信側が選択したアンテナを用いて再送した前記サブストリームを前記受信側が前記各サブストリームに対応するアンテナで受信するステップと、
前記受信側が固定された前記アンテナの順番で前記アンテナにて受信した前記サブストリームを順次検出するステップと、
を具備する請求項１記載のマルチアンテナ伝送における再送方法。
【請求項４】
前記所定の検出子は、最大尤度検出子とＺＦ検出子と最小平均平方誤差検出子の内の何れか１つである請求項２記載のマルチアンテナ伝送における再送方法。
【請求項５】
前記送信側及び前記受信側のそれぞれの単一アンテナに対して、独立冗長照合符号化及び独立自動再送要求を行う請求項３記載のマルチアンテナ伝送における再送方法。
【発明の詳細な説明】
【技術分野】
【０００１】
本発明はマルチアンテナ伝送における再送方法及び送信装置に関する。
【背景技術】
【０００２】
次世代無線通信システムにおいては、情報レート及び伝送品質に対する要求が更に高まってきている。従来は、時間領域と周波数領域の資源をいかに利用するかが主な研究対象であったが、近年、マルチアンテナ（ＭＩＭＯ）技術の出現によって、研究者に新しい方向が打ち出されている。ＭＩＭＯシステムでは、送信側で複数のアンテナを利用して信号の送信を行い、受信側で複数のアンテナを利用して信号受信を行う。従来の単一アンテナ伝送方式と較べて、ＭＩＭＯ技術はチャネル容量を著しく増大させ、情報伝送レートを高めることができる。また、時間領域と周波数領域の資源と較べて、空間資源はほぼ際限なく利用できるものであるため、ＭＩＭＯ技術は従来技術のネックを乗り越えることができ、次世代の無線通信システムのコア技術となっている。
【０００３】
図１は、通常のＭＩＭＯシステムの構成を示している。この構成では、送信側及び受信側でそれぞれｎＴ本とｎＲ本のアンテナを利用して信号の送受信を行う。送信側では、まず直列/並列変換部１０１にて、送信待ちのデータが直列／並列変換されてｎＴ個のデータストリームに分けられる。ｎＴ個のストリームはそれぞれ一つのアンテナに対応する。送信する前に、変調及び符号化部１０２−１〜１０２−ｎＴにより、これらのデータサブストリームを変調及び符号化する。そして、ｎＴ本のアンテナ１０３−１〜１０３−１０３ｎＴにより送信される。受信側では、まずｎＲ本のアンテナ１０４−１〜１０４−ｎＲを利用して空間のすべての信号を受信し、次に、チャネル推定部１０５は、アンテナ１０４−１〜１０４−ｎＲが受信した受信信号のパイロット信号に基づいて、又は他の方法によりチャネル推定を行って、現在のチャネル特性行列Ｈを推定する。ＭＩＭＯシステムにおいては、チャネル特性を行列で記述することができる。そして、ＭＩＭＯ検出部１０６は、チャネル推定部１０５で推定されたチャネル特性行列Ｈに基づいて、一般的な干渉除去検出方法により、各サブストリームの検出を行い、送信側が送信した情報ビットの復調を行って元の送信データを得る。サブストリーム１，２，・・・，ｎＴを順次に検出する場合に、得られた各サブストリーム検出後の等価ＳＩＮＲ値（信号と干渉雑音の比）（ＳＩＮＲ（１），ＳＩＮＲ（１）,・・・,ＳＩＮＲ（ｎＴ））を予め計算する。
【０００４】
以下はＭＩＭＯシステムの模型を示す。
【０００５】
ｓ＝［ｓ1，・・・，ｓｎｔ］Ｔを伝送符号の次元ベクトルとする。ｓiはｉ本目のアンテナが送信した符号である。対応するｎｒ×１本の受信アンテナの信号ベクトルはｙ=[ｙ１,・・・，ｙｎｒ]Ｔであるため、（１）式のようになる。
【０００６】
ｙ＝Ｈｓ＋ｎ                （１）
【０００７】
（１）式において、ｎ＝［ｎ１,・・・,ｎｎｒ]Ｔはｎｒ本の受信アンテナの零均値（zero mean）ホワイトガウス雑音を示す。Ｈはｎｒ×ｎｔチャネル行列である。
【０００８】
受信ベクトルｙから送信符号ｓを復元するため、ＭＩＭＯ受信検出を採用して信号を検出しなければならない。
【０００９】
従来の検出方法では、最大尤度検出、ＺＦ検出、ＭＭＳＥ検出及びＢＬＡＳＴ検出等がある。
【００１０】
最大尤度検出法では、十分にベクトルの雑音分散を統計することによって、直接導き出すことができるが、最大尤度検出法の複雑度は送信アンテナの本数に従って、指数的に増大するため、実現しにくい問題がある。
【００１１】
ＺＦ検出器では、送信アンテナ間の干渉を完全に除去することができるが、同時に背景雑音を増大させるという問題がある。
【００１２】
ＭＭＳＥ検出器の基本的な思想は、推定されたデータと実際のデータとの間の平均平方誤差を最小化することである。ＭＭＳＥ検出器は、背景雑音の影響を考慮して、アンテナ間の干渉の除去と背景雑音の増大との間で折衷し、性能はＺＦ検出器より優れている。
【００１３】
ＢＬＡＳＴ検出器（ＺＦ−ＢＬＡＳＴとＭＭＳＥ−ＢＬＡＳＴ）は、主に線形変換器と直列干渉キャンセラから構成される。まず、線形変換により信号と雑音との比が最強であるＩ本目のアンテナにおけるデータ判決が得られ、このデータにより、Ｉ本目のアンテナの送信データを再建してから、受信信号から符号の影響を除く。そして、残ったデータの中でＳ/Ｎ比が最強であるアンテナのデータ推定を計算し、干渉を除去する。すべてのデータ推定を得るまでこの動作を繰り返す。
【００１４】
従来の移動通信では、悪い無線チャネル環境によって、無線チャネルの不確実と変化しやすいという問題を引き起こす。ＭＩＭＯシステムにも同様の問題がある。符号誤り率を減少し、システムの処理能力を高めるために、チャネル符号化と誤り訂正技術を採用する必要がある。チャネル符号化は、受信側で誤り情報の検出及び訂正ができるように、元の情報に冗長情報を加えるものである。現在、一般的に使われている誤り訂正技術はハイブリッド再送要求（ＨＡＲＱ）技術である。ハイブリッド再送要求技術は、自動再送要求（ＡＲＱ）技術とフォワード誤り訂正技術（ＦＥＣ）とに基づいて、検出及び誤り訂正を行う。ハイブリッド再送要求技術は、以下に示す三種類がある。第一種類は、受信側で正しく受信できないパケットを放棄して、フィードバック情報により送信側に元のパケットのコピーを再送する要求をおくり、改めて受信したパケットを独立に復号化する。第二種類は、受信側で誤ったパケットを放棄せずに、再送した情報と結合して復号化する。この結合は、軟結合（Soft Combining）とも呼ばれる。第三種類は、再送した情報と前回伝送したパケットとを結合してもよいが、ただし、再送したパケットはデータを正しく受信する際にすべての必要な情報を含む。
【００１５】
ＨＡＲＱによりチャネル誤り訂正を行う場合は、まず送信側が符号化された情報を受信側に送信し、受信側で情報を受信して誤り訂正を行う。情報を正しく受信できる場合は、受信側で情報を受信するとともに、送信側にＡＣＫ受け取り情報を送る。誤りを訂正できない場合は、受信側が送信側にＮＡＣＫ情報と、データを再送する要求を送り、そして、受信側で受信した再送データを復号化する。
【００１６】
しかしながら、従来のＨＡＲＱ技術による再送方法は、単一アンテナに適応するものであり、マルチアンテナ環境において、ＨＡＲＱ技術を利用することにより、システムの伝送確実性を高め、システムの処理能力を向上することができないという問題がある。
【発明の開示】
【発明が解決しようとする課題】
【００１７】
本発明の目的は、ＭＩＭＯシステムのデータ伝送の確実性を高めることができるとともにシステムの処理能力を向上させることができ、マルチアンテナ伝送に適応する再送技術を提供することができるマルチアンテナ伝送における再送方法を提供することである。
【課題を解決するための手段】
【００１８】
本発明のマルチアンテナ伝送における再送方法は、ｎＴ（ｎＴ≧２）本のアンテナを有する送信側と、ｎＲ（ｎＲ≧２）本のアンテナを有する受信側とでデータの送受信を行うＭＩＭＯシステムを用いたマルチアンテナ伝送における再送方法であって、前記受信側において受信信号より各サブストリームの受信品質を検出するステップと、前記サブストリーム毎の受信品質を前記受信側から前記送信側にフィードバックするステップと、前記送信側が、フィードバックされた前記サブストリーム毎の受信品質を順位付けするとともに、再送の際に、前記ｎＴ本のアンテナから送信した前記サブストリームのうち、前記順位付けした前記受信品質の悪い方から数えてＬ（１≦Ｌ≦ｎＴ）番目の受信品質の前記サブストリームを再送する際のアンテナとして、前記順位付けした前記受信品質の悪い方から数えてｎＴ−Ｌ＋１番目の受信品質の前記サブストリームを送信したアンテナを選択するステップと、前記選択したアンテナを用いて前記送信側が前記サブストリームを再送するステップと、前記受信側の前記ｎＲ本のアンテナで受信した前記サブストリームを直列型干渉除去検出する場合において、再送の際に、受信した前記サブストリームの検出順番が前回の検出順番と異なるような検出順番を選択するステップと、前記受信側が、受信した前記サブストリームを、選択した前記検出順番で検出するステップと、前記検出した前記サブストリームに誤りがある場合には、前記受信側から前記送信側に対して再送を要求するステップと、を具備するようにした。
【発明の効果】
【００２０】
本発明によれば、ＭＩＭＯシステムのデータ伝送の確実性を高めることができるとともにシステムの処理能力を向上させることができ、マルチアンテナ伝送に適応する再送技術を提供することができる。
【発明を実施するための最良の形態】
【００２１】
本発明はＨＡＲＱ技術とＭＩＭＯ技術とを結合し、ＨＡＲＱ技術によりＭＩＭＯシステムの性能を高める。
【００２２】
（実施の形態１）
図２は、本実施の形態１におけるＳＩＣ検出方法のフロー図である。
【００２３】
ステップ２０１により、検出が始まる。ステップ２０２では、現在のチャネル特性行列Ｈに基づいて、検出子ＺＦ又はＭＭＳＥにより全体の受信信号から一番目の送信サブストリームの検出を行う。検出されると、ステップ２０３で、全体の受信信号から一番目の送信サブストリームの作用を除去する。
【００２４】
次いで、ステップ２０４では、送信サブストリームを除去された受信信号において、再び検出子により次の送信サブストリームの検出を行う。検出されると、ステップ２０５で、全体の受信信号からこの送信サブストリームの作用を除去する。そして、ステップ２０６で、送信サブストリームの検出が完了したか否かを判断する。
【００２５】
ステップ２０６で、サブストリームの検出が完了されていないと判断されると、フローがステップ２０４に戻り、検出を続ける。ｎＴ番目のサブストリームが検出されるまで、上記手順を繰り返す。すべてのサブストリームの検出が完了すると、ステップ２０７で、
検出を終了させる。
【００２６】
図３は、本発明の実施の形態１に係るＨＡＲＱ技術のＭＩＭＯシステムの構成を示すブロック図である。
【００２７】
この構成では、送信側及び受信側でそれぞれｎＴ本とｎＲ本のアンテナにより信号の送受信を行う。送信側では、まず変換手段である直列／並列変換部３００は、送信待ちのデータを直列/並列変換してｎＴ個のデータサブストリームに分ける。データ並び替え部３０１は、フィードバック情報に基づいて、ｎＴ個のデータサブストリームを並び替える。ＣＲＣ符号化部３０２−１〜３０２−ｎＴは、それぞれのサブストリームをＣＲＣ符号化する。それぞれのサブストリームは一つの送信アンテナ及び一つの独立ＡＲＱ過程に対応する。そして、変調及び符号化部３０３−１〜３０３−ｎＴは、対応するデータサブストリームを変調及び符号化して、ｎＴ本の送信アンテナ３０４−１〜３０４−ｎＴはデータサブストリームを送信する。
【００２８】
受信側では、まずｎＲ本のアンテナ３０５−１〜３０５−ｎＲは、空間のすべての信号を受信する。次に、チャネル推定部３０６は、受信信号のパイロット信号に基づいて、又は他の方法によりチャネル推定を行って、現在のチャネル特性行列Ｈを推定する。そして、サブストリーム検出手段であるＭＩＭＯ検出部３０７は、チャネル特性行列Ｈに基づいて、一般的な干渉除去検出方法により、各サブストリームの検出を行って、各サブストリーム検出後の等価ＳＩＮＲ値を得る。これらの等価ＳＩＮＲ値の情報が受信品質情報としてフィードバックチャネル３１１により送信側にフィードバックされる。ＣＲＣ校正部３０８−１〜３０８−ｎＲは、検出済みのデータサブストリームをＣＲＣ校正し、校正結果をフィードバック情報処理器３１０に送る。フィードバック情報処理器３１０は、各サブストリームのフィードバック情報を生成し、フィードバックチャネル３１１を介して、送信側にフィードバックする。
【００２９】
データに誤りがあり、固定の検出順番により検出を行う場合は、送信側で得られた各サブストリームのＳＩＮＲ値に基づいて、対応するデータがどのアンテナにより伝送されるかを判断する。
【００３０】
サブストリーム検出は、ＳＩＣ（直列型干渉除去）に基づく検出方法を採用する。ＳＩＣ検出の基本的な考えは、ある検出子（例えば、最大尤度検出方法の検出子、ＭＭＳＥ（最小平均平方誤差）検出方法の検出子又はＺＦ（ＺＥＲＯ  ＦＯＲＣＩＮＧ）検出方法の検出子）を用いて、ある送信サブストリームの検出を行い、そして、このサブストリームの作用を全体の受信信号から除去して、次のサブストリームの検出を行って、このまますべてのサブストリームの検出ができるまで繰り返す。
【００３１】
ここで一つ説明しておきたいことは、ここで行った検出が最終サブストリームを得ることを目的とするのではなく、この方法で検出を行った後の各送信サブストリームのＳＩＮＲを確認するためである。この検出が終了されると、チャネル特性行列Ｈと、各検出ステップにおいて使用される検出子と、チャネル雑音の推定値とに基づいて、各サブストリーム検出後の等価ＳＩＮＲ値（ＳＩＮＲ（１）,ＳＩＮＲ（１）,・・・,ＳＩＮＲ（ｎＴ））を簡単に計算することができる。チャネル雑音の推定値は受信した信号に基づいて計算され、受信した信号は有用信号と雑音との重ね合わせであり、有用信号の電力は既知であるため、受信信号によりチャネル雑音を計算することができる。
【００３２】
ＭＩＭＯ検出は、固定のサブストリーム検出順番により行われる。例えば、送信アンテナ１からｎＴの順番で、各サブストリームに対して、ＳＩＣ検出、ＳＩＮＲ計算を行う。同時に、ＭＩＭＯ検出も同様の順番で、各サブストリームの検出を順次に行って、最終デ
ータを得る。
【００３３】
各サブストリームの検出を行なって得られた等価ＳＩＮＲがフィードバックチャネルにより、送信側に送信される。同時に、各サブストリームの検出を行なって得られた最終データの誤り訂正を行い、データが正しく受信されない場合は、送信側に再送する要求を送る。そして、送信側で、各サブストリームの等価ＳＩＮＲ値に基づいて、どのアンテナを選択してデータの再送を行うかを決定する。アンテナを選択する際の原則は、一回目伝送時に使用されたアンテナのＳＩＮＲ値が高い場合には、再送時にＳＩＮＲ値の低いアンテナを選択し、それに対して、一回目伝送時に使用されたアンテナのＳＩＮＲ値が低い場合には、再送時にＳＩＮＲ値の高いアンテナを選択することである。例えば、一回目伝送時において、使用されたアンテナのＳＩＮＲ値としきい値とを比較して、二回目伝送時には、ＳＩＮＲ値がしきい値未満のデータが、ＳＩＮＲ値がしきい値以上のデータを送信したアンテナから再送されるようにする。
【００３４】
また、送信アンテナがｎＴ本であり、あるデータサブストリームが正しく受信できなく、その等価ＳＩＮＲ値がすべてのデータサブストリームの中でＬ番目（ＳＩＮＲ値の小さい順で並ぶ場合）である場合は、再送時にＳＩＮＲ値がｎＴ−Ｌ＋１番目にあるアンテナを選択して再送を行う。例えば、送信アンテナが４本ある場合は、一回目のデータ送信時の等価ＳＩＮＲ値の順位は（小さい順で並ぶ場合）３、１、４，２となる。つまり、一本目のアンテナのＳＩＮＲ値が４本のアンテナにおける順位は３番となり、二本目のアンテナのＳＩＮＲ値が４本のアンテナにおける順位は最小となる。受信側で、三本目のアンテナのデータが正しく受信できず再送の必要がある場合は、ｎＴ−Ｌ＋１＝４−４＋１＝１により、再送時のＳＩＮＲ順位が一位にあるアンテナにより、即ち二本目のアンテナにより再送を行う。この方法によれば、受信したデータサブストリームのＳＩＮＲ値を均衡的な値に近づけ、システムの平均誤り符号率性能を高めることができる。
【００３５】
図４は、本発明の固定検出順番による再送過程のフロー図である。
【００３６】
図４では、ステップ４０１によりフローが始まり、受信側でステップ４０２により受信した各サブストリーム検出後の等価ＳＩＮＲ値を計算し、そして、ステップ４０３で、検出後の等価ＳＩＮＲ値を送信側に戻す。ステップ４０４で、受信側が続けて検出後のデータを誤り訂正複合化し、ステップ４０５で、一本又は複数のアンテナが受信したデータに誤りがあるか否かを判断する。ステップ４０５で、誤りがあると判断されると、ステップ４０６で送信側にデータを再送する要求を送る。
【００３７】
受信したデータに誤りがない場合は、再送する必要がなく、ステップ４１０によりフローを終了させる。データを再送する場合は、ステップ４０７で、受信側に返されたデータサブストリームの等価ＳＩＮＲ値を小さい順又は大きい順で並べ替える必要がある。
【００３８】
ステップ４０８において、誤りがあるデータサブストリームのＳＩＮＲ値の順位がＬであり、全体の送信ストリームがｎＴである場合は、ＳＩＮＲ値の順位がｎＴ−Ｌ＋１であるアンテナを再送アンテナとして選択し、ステップ４０９で、誤ったデータを再送する。
【００３９】
次いで、受信側で検出フローを続け、データが正しく受信される場合は、ステップ４１０によりこのフローを終了させ、データが正しく受信されない場合は、データの再送を続ける。なお、アンテナｎＴ、ｎＲの各単一アンテナについて、独立冗長照合符号化及び自動再送要求を行うようにしても良い。
【００４０】
このように、本実施の形態１によれば、データサブストリームの再送時に等価ＳＩＮＲに基づいて送信するアンテナを変更するので、ＭＩＭＯシステムのデータ伝送の確実性を
高めることができるとともにシステムの処理能力を向上させることができ、マルチアンテナ伝送に適応する再送技術を提供することができる。
【００４１】
（実施の形態２）
図５は、本発明の実施の形態２に係るＨＡＲＱ技術のＭＩＭＯシステムの構成を示すブロック図である。本実施の形態２に係るＨＡＲＱ技術のＭＩＭＯシステムは、図３に示す実施の形態１に係るＨＡＲＱ技術のＭＩＭＯシステムにおいて、図５に示すように、データ並び替え部３０１を除き、ＭＩＭＯ検出部３０７の代わりにＭＩＭＯ検出部５０１を有する。なお、図５においては、図３と同一構成である部分には同一の符号を付してその説明は省略する。また、本実施の形態２のＳＩＣ検出方法は、図２と同一であるので、その説明は省略する。
【００４２】
ＭＩＭＯ検出部５０１は、データサブストリームの再送時には、前回受信時の検出順番とは異なる検出順番を選択して、データサブストリームの検出を行う。
【００４３】
データに誤りがあり、受信側で可変な検出順番により検出を行う場合は、誤ったデータが最初使用したアンテナにより伝送される。そして、ＣＲＣ校正部３０８−１〜３０８−ｎＲにてデータがＣＲＣ校正され、正しく受信されたデータが直列/並列変換部３０９により処理され、最終データが得られる。
【００４４】
ＭＩＭＯ検出が固定のサブストリーム検出順番により行われると、ひどい誤り符号伝播を引き起こす。誤り符号伝播とは、ＳＩＣ検出において、一階層ずつ送信サブストリームの検出を行い、このようにして、前のサブストリームの検出が正しく行われていない場合は、誤りが階層ごとに伝播していくことを指す。誤り符号伝播はシステムのＢＥＲ性能の急激悪化することを招く。一方、ダイバーシティオーダー（Diversity Order）の影響により、その後に検出を行ったサブストリームのダイバーシティオーダーが高めいため、後で検出を行った信号の性能は先に検出を行った信号の性能より良い。誤り符号伝播とダイバーシティオーダーの両方の影響により、検出順番が検出結果に大きく影響する。同一の送信サブストリームに対して、先に検出を行うかそれとも後で検出を行うか違いによって、異なる検出後のＳＩＮＲが得られ、即ち、サブストリームの検出順番が各サブストリーム検出後のＳＩＮＲに影響する。このため、サブストリームを最適化することにより各サブストリーム検出後のＳＩＮＲを改善できるため、システムのＢＥＲ性能も改善できる。
【００４５】
図６は、本実施の形態２の可変な検出順番による再送過程のフロー図である。
【００４６】
図６では、ステップ６０１によりフローを始める。ステップ６０２で、受信側で所定の検出順番を選択して、例えば、３、２、１、４の順番である。そして、ステップ６０３で、選択した検出順番によりデータサブストリームの検出を行う。
【００４７】
サブストリームの検出行ってから、ステップ６０４で、検出を行なって得られた各サブストリームのデータを誤り訂正復号化し、ステップ６０５で、各サブストリームのデータに誤りがあるか否かを判断する。
【００４８】
誤りがないと判断される場合は、ステップ６０９によりフローを終了させる。誤りがあると判断される場合は、ステップ６０６で、送信側に誤ったデータサブストリームを再送する要求を送る。そして、ステップ６０７で、誤ったデータサブストリームが前回と同一のアンテナにより再送される。
【００４９】
次いで、ステップ６０８で、受信側で再送されたデータサブストリームを受信し、前回の検出順番と逆の検出順番を選択して、即ち、前回は３、２、１、４（これらの数字はア
ンテナの番号である）の順番により検出を行ったとしたら、今回は４、１、２、３の順番を選択する。そして、フローがステップ６０４に戻り、正しいデータが検出されるまで、後続動作を続ける。
【００５０】
前記ステップ６０８で、受信側でランダムな検出順番を選択してもよい。つまり、３、２、１、４以外の順番からランダムな順番を選択して再検出を行う。これによれば、同様のデータサブストリームのＳＩＮＲ値を均衡する効果が得られる。
【００５１】
受信側で可変な検出順番により検出を行う場合は、最初使用したアンテナにより伝送を行うが、受信側でＭＩＭＯ検出を行う際、元の検出順番を変更する。検出順番を変更するには種々の方法がある。一つは、元の検出順番と逆の順番により検出を行い、その他、ランダムな検出順番により検出を行う方法もある。一つ目の方法では、一回目の検出順番は１、２、３、４であれば、二回目は４、３、２、１の順番により検出を行ってもよく、次回伝送時に、続けて１、２、３、４の順番を使用してもよい。この方法によれば、同様のデータサブストリームを均衡する効果が得られる。ランダムな検出順番では、一回目は１、２、３、４の検出順番で、二回目は３、１、２、４の検出順番で、三回目は４、１、２、３の検出順番で検出を行えばよい。
【００５２】
このように、本実施の形態２によれば、データサブストリームの再送時にデータサブストリームの検出の順番を前回受信時の順番から変更するので、ＭＩＭＯシステムのデータ伝送の確実性を高めることができるとともにシステムの処理能力を向上させることができ、マルチアンテナ伝送に適応する再送技術を提供することができる。
【００５３】
なお、本実施の形態２において、誤ったデータが最初使用したアンテナを用いて再送するようにしたが、これに限らず、本実施の形態２を上記実施の形態１に適用することにより、再送時に送信アンテナを変更しても良い。
【００５４】
上記実施の形態１及び実施の形態２は本発明を限定するものではなく、本発明の一態様である。本発明は容易に異なるタイプの設備に適応することができる。同様に、本発明の上記実施の形態１及び実施の形態２における記載は、請求の範囲を限定するものではなく、説明するためのものであり、当業者は種々の置き換え、変更をしてもよい。
【産業上の利用可能性】
【００５５】
本発明にかかるマルチアンテナ伝送における再送方法は、特にマルチアンテナ伝送に好適である。
【図面の簡単な説明】
【００５６】
【図１】通常のＭＩＭＯシステムの構成を示すブロック図
【図２】ＳＩＣ検出方法を示すフロー図
【図３】本発明の実施の形態１に係るＨＡＲＱ技術のＭＩＭＯシステムの構成を示すブロック図
【図４】本発明の実施の形態１に係る固定検出順番による再送過程を示すフロー図
【図５】本発明の実施の形態２に係るＨＡＲＱ技術のＭＩＭＯシステムの構成を示すブロック図
【図６】本発明の実施の形態２に係る可変検出順番による再送過程を示すフロー図
【図１】
0004863884.tif 000002
【図２】
0004863884.tif 000003
【図３】
0004863884.tif 000004
【図４】
0004863884.tif 000005
【図５】
0004863884.tif 000006
【図６】
0004863884.tif 000007